(57)【要約】      （修正有）【課題】スキューが生じにくく、かつ製造が容易なコネクタ装置を提供すること。【解決手段】第１ＰＣ側コンタクトと第２ＰＣ側コンタクトとをＰＣ側ハウジングに保持させてＰＣ側コネクタを構成する。第１ドック側コンタクトと第２ドック側コンタクトとをドック側ハウジングに保持させてドック側コネクタを構成する。第１ＰＣ側コンタクトの接触部と端子部とを連結する中間部をクランク状に形成する。第２ＰＣ側コンタクト１３２の接触部１３２ａと端子部１３２ｂとを連結する中間部１３２ｃをクランク状に形成する。第１ドック側コンタクトの接触部と端子部とを連結する中間部の形状及び長さと第２ＰＣ側コンタクト１３２の中間部１３２ｃの形状及び長さとをほぼ同じにした。第２ドック側コンタクト２３２の接触部２３２ａと端子部２３２ｂとを連結する中間部２３２ｃの形状及び長さと第１ＰＣ側コンタクトの中間部の形状及び長さとをほぼ同じにした。【選択図】図３Ｃ
2010073368.tif 000002
【特許請求の範囲】
【請求項１】
複数のコンタクトと、この複数のコンタクトを保持するハウジングとを有するコネクタと、
複数の相手側コンタクトと、この複数の相手側コンタクトを保持し、前記ハウジングに嵌合される相手側ハウジングとを有する相手側コネクタとを備えたコネクタ装置において、
前記複数のコンタクトは第１コンタクトとこの第１コンタクトと異なる第２コンタクトとで構成され、
前記複数の相手側コンタクトは第１相手側コンタクトとこの第１相手側コンタクトと異なる第２相手側コンタクトとで構成され、
前記第１コンタクトと前記第２コンタクトとはそれぞれ、接触部と、一方の接続対象物に接続される端子部と、前記接触部と前記端子部とを連結する中間部とを有し、
前記第１相手側コンタクトと前記第２相手側コンタクトとはそれぞれ、前記第１、第２コンタクトの接触部にそれぞれ接触する相手側接触部と、他方の接続対象物に接続される相手側端子部と、前記相手側接触部と前記相手側端子部とを連結する相手側中間部とを有し、
前記第１コンタクトの前記中間部の形状及び長さと前記第２相手側コンタクトの前記相手側中間部の形状及び長さとはほぼ同じであり、
前記第２コンタクトの前記中間部の形状及び長さと前記第１相手側コンタクトの前記相手側中間部の形状及び長さとはほぼ同じである
ことを特徴とするコネクタ装置。
【請求項２】
前記第１コンタクトと前記第２コンタクトと前記第１相手側コンタクトと前記第２相手側コンタクトのそれぞれの中間部は、クランク形状に形成されることを特徴とする請求項１記載のコネクタ装置。
【請求項３】
前記コネクタは、前記ハウジングを覆うシェルを有し、前記相手側コネクタは、前記相手側ハウジングを覆う相手側シェルを有し、
前記シェルは、前記相手側シェルに接触するシェル側接触部と、前記他方の接続対象物に接続されるシェル側端子部とを有する
ことを特徴とする請求項１又は２記載のコネクタ装置。
【発明の詳細な説明】
【技術分野】
【０００１】
この発明はコネクタ装置に関し、特に電気信号の高速伝送化に対応できるコネクタ装置に関する。
【背景技術】
【０００２】
従来、絶縁体、上側信号端子、下側信号端子、接地端子及び金属シェルからなるソケットが知られている（下記特許文献１参照）。
【０００３】
上側信号端子、下側信号端子、接地端子は絶縁体に保持されている。
【０００４】
絶縁体は金属シェルで覆われている。
【０００５】
上側信号端子、下側信号端子はそれぞれ接触部、固定部、接続部を有する。固定部は絶縁体に固定され、固定部の一端に連なる接触部は前方へ延び、固定部の他端に連なる接続部は後方へ延びる。接続部はプリント配線板に接続される。
【０００６】
上側信号端子の接触部及び固定部は下側信号端子の接触部及び固定部に対して上（絶縁体の上下方向の上）に位置する。
【０００７】
このソケットはプラグに接続される。
【０００８】
プラグは絶縁体、上側信号端子、下側信号端子、接地端子及び金属シェルを備えている。
【０００９】
絶縁体は金属シェルで覆われ、上側信号端子、下側信号端子はそれぞれ接触部、固定部、接続部を有する。固定部は絶縁体に固定され、固定部の一端に連なる接触部は前方へ延び、固定部の他端に連なる接続部は後方へ延びる。接続部はケーブルに接続される。
【００１０】
このプラグを上記ソケットに接続すると、プラグの上側信号端子、下側信号端子等のそれぞれの接触部はソケットの上側信号端子、下側信号端子等のそれぞれの接触部に接触し、ケーブルとプリント配線板とが電気的に接続される。
【特許文献１】特開２００５−１９０７５号公報
【発明の開示】
【発明が解決しようとする課題】
【００１１】
上述の従来のコネクタ装置では、プラグをソケットに接続したとき、プラグの上側信号端子の接続部とソケット上側信号端子の接続部との間の通路長（電気信号の通路長）と、プラグの下側信号端子の接続部とソケットの下側信号端子の接続部との間の通路長（電気信号の通路長）とが等しくなるように、上側信号端子の接続部と固定部とを連結する中間部の長さと、下側信号端子の接続部と固定部とを連結する中間部の長さとを等しくした。
【００１２】
しかし、上側信号端子と下側信号端子との前後方向（絶縁体の前後方向）の長さを等しくしなければならないので、下側信号端子の接続部を部分的に湾曲させている。
【００１３】
したがって、下側信号端子の加工が面倒であり、そのことがソケットの製造を困難にし、コストを高める一因になっていた。
【００１４】
この発明はこのような事情に鑑みてなされたもので、その課題は、スキューが生じにくく、かつ製造が容易なコネクタ装置を提供することである。
【課題を解決するための手段】
【００１５】
前述の課題を解決するため請求項１の発明は、複数のコンタクトと、この複数のコンタクトを保持するハウジングとを有するコネクタと、複数の相手側コンタクトと、この複数の相手側コンタクトを保持し、前記ハウジングに嵌合される相手側ハウジングとを有する相手側コネクタとを備えたコネクタ装置において、前記複数のコンタクトは第１コンタクトとこの第１コンタクトと異なる第２コンタクトとで構成され、前記複数の相手側コンタクトは第１相手側コンタクトとこの第１相手側コンタクトと異なる第２相手側コンタクトとで構成され、前記第１コンタクトと前記第２コンタクトとはそれぞれ、接触部と、一方の接続対象物に接続される端子部と、前記接触部と前記端子部とを連結する中間部とを有し、前記第１相手側コンタクトと前記第２相手側コンタクトとはそれぞれ、前記第１、第２コンタクトの接触部にそれぞれ接触する相手側接触部と、他方の接続対象物に接続される相手側端子部と、前記相手側接触部と前記相手側端子部とを連結する相手側中間部とを有し、前記第１コンタクトの前記中間部の形状及び長さと前記第２相手側コンタクトの前記相手側中間部の形状及び長さとはほぼ同じであり、前記第２コンタクトの前記中間部の形状及び長さと前記第１相手側コンタクトの前記相手側中間部の形状及び長さとはほぼ同じであることを特徴とする。
【００１６】
上述のように第１コンタクトのクランク状の中間部の形状及び大きさと第２相手側コンタクトのクランク状の相手側中間部の形状及び大きさとをほぼ同じにし、第２コンタクトのクランク状の中間部の形状及び大きさと第１相手側コンタクトのクランク状の相手側中間部の形状及び大きさとをほぼ同じにしたので、コネクタを相手側コネクタに接続したとき、コネクタの第１コンタクトの端子部と相手側コネクタの第１相手側コンタクトの端子部との間の通路長と、コネクタの第２コンタクトの端子部と相手側コネクタの第２相手側コンタクトの端子部との間の通路長とが等しくなり、スキューが生じにくくなる。また、第１、第２コンタクト及び第１、第２相手側コンタクトの加工が簡単である。
【００１７】
請求項２の発明は、請求項１記載のコネクタ装置において、前記第１コンタクトと前記第２コンタクトと前記第１相手側コンタクトと前記第２相手側コンタクトのそれぞれの中間部は、クランク形状に形成されることを特徴とする。
【００１８】
請求項３の発明は、請求項１又は２記載のコネクタ装置において、前記コネクタは、前記ハウジングを覆うシェルを有し、前記相手側コネクタは、前記相手側ハウジングを覆う相手側シェルを有し、前記シェルは、前記相手側シェルに接触するシェル側接触部と、前記他方の接続対象物に接続されるシェル側端子部とを有することを特徴とする。
【発明の効果】
【００１９】
この発明によれば、スキューが生じにくく、かつ製造が容易なコネクタ装置を提供することができる。
【発明を実施するための最良の形態】
【００２０】
以下、この発明の実施の形態を図面に基づいて説明する。
【００２１】
図１Ａはこの発明の一実施形態に係るコネクタ装置のＰＣ側コネクタ１０の斜視図、図１Ｂはこの発明の一実施形態に係るコネクタ装置のドック側コネクタ２０の斜視図、図２は図１Ａ、図１Ｂに示すコネクタ装置のＰＣ側コネクタ１０とドック側コネクタ２０とが嵌合した状態を示す断面図である。
【００２２】
図１、図２に示すように、このコネクタ装置はＰＣ（パーソナルコンピュータ）側コネクタ（コネクタ）１０とドック側コネクタ（相手側コネクタ）２０とで構成されている。
【００２３】
ＰＣ側コネクタ１０は図示しないいわゆるノート型ＰＣのプリント基板に実装され、ＰＣ側コネクタ１０の先端部はノート型ＰＣの筐体１０から突出する。ＰＣ側コネクタ１０はＰＣ側コンタクト（コンタクト）１３とＰＣ側グランドコンタクト１４とＰＣ側ハウジング（ハウジング）１５とを備える。
【００２４】
ドック側コネクタ２０は図示しない机に設置された図示しないドッキングステーションのプリント基板に実装され、ドック側コネクタ２０の先端部はドッキングステーションの筐体から突出する。ドック側コネクタ２０はノート型ＰＣを机上で使用するときにノート型ＰＣに設けられたＰＣ側コネクタ１０に接続される。ドック側コネクタ２０はドック側コンタクト（相手側コンタクト）２３とドック側グランドコンタクト２４とドック側ハウジング（相手側ハウジング）２５とを備える。
【００２５】
図３Ａは図１に示すコネクタ装置のＰＣ側コネクタ１０のＰＣ側グランドコンタクト１４とドック側コネクタ２０のドック側グランドコンタクト２４とが接触している状態を示す概念図、図３Ｂは図１に示すコネクタ装置のＰＣ側コネクタ１０のＰＣ側コンタクト１３の第１ＰＣ側コンタクト１３１とドック側コネクタ２０のドック側コンタクト２３の第１ドック側コンタクト２３１とが接触している状態を示す概念図、図３Ｃは図１に示すコネクタ装置のＰＣ側コネクタ１０のＰＣ側コンタクト１３の第２ＰＣ側コンタクト１３２とドック側コネクタ２０のドック側コンタクト２３の第２ドック側コンタクト２３２とが接触している状態を示す概念図である。
【００２６】
図３Ａに示すように、ＰＣ側グランドコンタクト１４は接触部１４ａと端子部１４ｂと中間部１４ｃとを有する。ＰＣ側グランドコンタクト１４は金属板に打抜き加工を施すことによって形成されている。
【００２７】
接触部１４ａはＰＣ側グランドコンタクト１４の一端部に位置し、ピン状である。
【００２８】
端子部１４ｂはＰＣ側グランドコンタクト１４の他端部に位置し、ピン状であり、ノート型ＰＣのプリント基板のスルーホールに挿入されて半田付けされる。
【００２９】
中間部１４ｃはクランク状であり、接触部１４ａと端子部１４ｂとを連結する。
【００３０】
ドック側グランドコンタクト２４は金属板に打抜き加工及び曲げ加工を施すことによって形成されている。ドック側グランドコンタクト２４は接触部２４ａと端子部２４ｂと中間部２４ｃとを有する。
【００３１】
接触部２４ａはドック側グランドコンタクト２４の一端部に位置し、ほぼＳ字状に折り曲げられ、ＰＣ側グランドコンタクト１４の接触部１４ａに接触する。
【００３２】
端子部２４ｂはドック側グランドコンタクト２４の他端部に位置し、ピン状であり、ドックステーションのプリント基板のスルーホールに挿入されて半田付けされる。
【００３３】
中間部２４ｃは接触部２４ａと端子部２４ｂとを連結する。
【００３４】
図３Ｂ、図３Ｃに示すように、ＰＣ側コンタクト１３には第１ＰＣ側コンタクト（第１コンタクト）１３１と第２ＰＣ側コンタクト（第２コンタクト）１３２との２種類がある。
【００３５】
第１ＰＣ側コンタクト１３１は金属板に打抜き加工及び曲げ加工を施すことによって形成されている。第１ＰＣ側コンタクト１３１は接触部１３１ａと端子部１３１ｂと中間部１３１ｃとを有する。
【００３６】
接触部１３１ａは第１ＰＣ側コンタクト１３１の一端部に位置し、ピン状である。
【００３７】
端子部１３１ｂは第１ＰＣ側コンタクト１３１の他端部に位置し、ピン状であり、ノート型ＰＣのプリント基板のスルーホールに挿入されて半田付けされる。
【００３８】
中間部１３１ｃはほぼクランク状に折り曲げられ、接触部１３１ａと端子部１３１ｂとを連結する。
【００３９】
第２ＰＣ側コンタクト１３２は金属板に打抜き加工及び曲げ加工を施すことによって形成されている。第２ＰＣ側コンタクト１３２は接触部１３２ａと端子部１３２ｂと中間部１３２ｃとを有する。
【００４０】
接触部１３２ａは第２ＰＣ側コンタクト１３２の一端部に位置し、ピン状である。
【００４１】
端子部１３２ｂは第２ＰＣ側コンタクト１３２の他端部に位置し、ピン状であり、ノート型ＰＣのプリント基板のスルーホールに挿入されて半田付けされる。
【００４２】
中間部１３２ｃはほぼクランク状に折り曲げられ、接触部１３２ａと端子部１３２ｂとを連結する。第１ＰＣ側コンタクト１３１の中間部１３１ｃの長さと第２ＰＣ側コンタクト１３２の中間部１３２ｃの長さとは異なるように形成されている。
【００４３】
図３Ｂ，図３Ｃに示すように、ＰＣ側コンタクト１３と同様に、ドック側コンタクト２３には第１ドック側コンタクト（第１相手側コンタクト）２３１と第２ドック側コンタクト（第２相手側コンタクト）２３２との２種類がある。
【００４４】
第１ドック側コンタクト２３１は金属板に打抜き加工及び曲げ加工を施すことによって形成されている。第１ドック側コンタクト２３１は接触部２３１ａと端子部２３１ｂと中間部２３１ｃとを有する。
【００４５】
接触部２３１ａは第１ドック側コンタクト２３１の一端部に位置し、ほぼＳ字形に折り曲げられている。接触部２３１ａは第１ＰＣ側コンタクト１３１の接触部１３１ａに接触する。
【００４６】
端子部２３１ｂは第１ドック側コンタクト２３１の他端部に位置し、ドックステーションのプリント基板のスルーホールに挿入されて半田付けされる。
【００４７】
中間部２３１ｃはほぼクランク状に折り曲げられ、接触部２３１ａと端子部２３１ｂとを連結する。
【００４８】
第２ドック側コンタクト２３２は金属板に打抜き加工及び曲げ加工を施すことによって形成されている。第２ドック側コンタクト２３２は接触部２３２ａと端子部２３２ｂと中間部２３２ｃとを有する。
【００４９】
接触部２３２ａは第２ドック側コンタクト２３２の一端部に位置し、ほぼＳ字形に折り曲げられている。接触部２３２ａは第２ＰＣ側コンタクト１３２の接触部１３２ａに接触する。
【００５０】
端子部２３２ｂは第２ドック側コンタクト２３２の他端部に位置し、ドックステーションのプリント基板のスルーホールに挿入されて半田付けされる。
【００５１】
中間部２３２ｃはほぼクランク状に折り曲げられ、接触部２３２ａと端子部２３２ｂとを連結する。第１ドック側コンタクト２３１の中間部２３１ｃの長さと第２ドッグ側コンタクト２３２の中間部２３２ｃの長さとは異なるように形成されている。
【００５２】
第１ＰＣ側コンタクト１３１の中間部１３１ｃの形状及び長さと第２ドック側コンタクト２３２の中間部２３２ｃの形状及び長さとはほぼ同じである。また、第２ＰＣ側コンタクト１３２の中間部１３２ｃの形状及び長さと第１ドック側コンタクト２３１の中間部２３１ｃの形状及び長さとはほぼ同じである。したがって、ＰＣ側コンタクト１０とドック側コネクタ２０とを嵌合させたとき、図３に示すように、第１ＰＣ側コンタクト１３１の端子部１３１ｂから第１ドック側コンタクト２３１の端子部２３１ｂに至る通路長と第２ＰＣ側コンタクト１３２の端子部１３２ｂから第２ドック側コンタクト２３２の端子部２３２ｂに至る通路長とはほぼ等しくなる。なお、第１ＰＣ側コンタクト１３１の中間部１３１ｃの形状や長さと第２ドック側コンタクト２３２の中間部２３２ｃの形状や長さを異なるように、また、第２ＰＣ側コンタクト１３２の中間部１３２ｃの形状や長さと第１ドック側コンタクト２３１の中間部２３１ｃの形状や長さを異なるように形成しても良い。この場合には、中間部１３１ｃの長さと中間部１３２ｃの長さとの差が、中間部２３１ｃの長さと中間部２３２ｃの長さとの差が等しくなるようにすれば良い。
【００５３】
図１、図２に示すように、ＰＣ側コネクタ１０のＰＣ側ハウジング１５はハウジング本体１５１と第１配置部１５２と第２配置部１５３とを有する。
【００５４】
ハウジング本体１５１はほぼ箱状であり、受容空間１５１０を有する。
【００５５】
第１配置部１５２はほぼ板状であり、ハウジング本体１５１の底部１５１１（図２参照）に結合されている。第１配置部１５２の長手方向はハウジング本体１５１の長手方向と平行である。第１配置部１５２の一方の面にはＰＣ側グランドコンタクト１４、第１ＰＣ側コンタクト１３１及び第２ＰＣ側コンタクト１３２の接触部１４ａ，１３１ａ，１３２ａが等間隔に配置されている。第１配置部１５２の他方の面には第１配置部１５２の一方の面に配置されている３種類のコンタクト１４，１３１，１３２と同じ種類のコンタクト１４，１３１，１３２の接触部１４ａ，１３１ａ，１３２ａが等間隔に配置されている。なお、ＰＣ側グランドコンタクト１４、第１ＰＣ側コンタクト１３１及び第２ＰＣ側コンタクト１３２で１つの組が構成され、複数組のコンタクト１４，１３１，１３２の接触部１４ａ，１３１ａ，１３２ａが第１配置部１５２の両方の面に並ぶ。
【００５６】
ＰＣ側コンタクト１３とＰＣ側グランドコンタクト１４とはいわゆるモールドイン成形法によってＰＣ側ハウジング１５に一体化されている。なお、各コンタクト１３，１４を圧入によってＰＣ側ハウジング１５の保持するようにしても良い。
【００５７】
シェル１７は金属板に打抜き加工及び曲げ加工を施すことによって形成され、ＰＣ側ハウジング１５のハウジング本体１５１を覆っている。シェル１７は、相手側のシェル２７と接続するシェル側接触部１７１とプリント基板のスルーホールに半田接続されるシェル側端子部１７２とを有する。
【００５８】
図４は図１に示すコネクタ装置のＰＣ側コネクタ１０の底面図である。
【００５９】
第１配置部１５２の一方の面に配置された複数のＰＣ側グランドコンタクト１４の端子部１４ｂと、第１配置部１５２の他方の面に配置された複数のＰＣ側グランドコンタクト１４の端子部１４ｂとは、図４に示すように、ＰＣ側ハウジング１５の底面に配置されたロケータ１８によって保持され、ハウジング１５の長手方向に沿って二列に並んでいる。
【００６０】
第１配置部１５２の一方の面に配置された複数の第１ＰＣ側コンタクト１３１の端子部１３１ｂと、第１配置部１５２の他方の面に配置された複数の第１ＰＣ側コンタクト１３１の端子部１３１ｂとは、ロケータ１８によって保持され、ＰＣ側ハウジング１５の長手方向に沿って二列に並んでいる。端子部１３１ｂの列は端子部１４ｂの列の外側に位置し、かつ端子部１３２ｂの列の内側に位置する。端子部１３１ｂの列と端子部１４ｂの列の間隔のほぼ半分の長さの分だけＰＣ側ハウジング１５の幅方向Ｗ１５へずれている。
【００６１】
第１配置部１５２の一方の面に配置された複数の第２ＰＣ側コンタクト１３２の端子部１３２ｂと、第１配置部１５２の他方の面に配置された複数の第２ＰＣ側コンタクト１３２の端子部１３２ｂとは、ロケータ１８によって保持され、ＰＣ側ハウジング１５の長手方向に沿って二列に並んでいる。端子部１３２ｂの列は端子部１３１ｂの列の外側に位置し、端子部１３１ｂの列と平行である。端子部１３２ｂの列と端子部１３１ｂの列と端子部１４ｂの列とはＰＣ側ハウジング１５の長手方向へずれている。したがって、端子部１３１ｂと端子部１３２ｂと端子部１４ｂとはいわゆる千鳥配置（ジグザグの配置）となる。
【００６２】
図１、図２に示すように、ドック側コネクタ２０のドック側ハウジング２５は基礎部２５１とハウジング本体２５２と嵌合部２５３とを有する。
【００６３】
基礎部２５１はほぼ筐体状である（図２参照）。
【００６４】
ハウジング本体２５２は基礎部２５１の上部に連結されており、ほぼ筐体状である（図２参照）。
【００６５】
嵌合部２５３はハウジング本体の上部に連結されており、ＰＣ側ハウジング１５の受容空間１５１０に挿入される。嵌合部２５３は第１受容空間２５３１と第２受容空間２５３２とを有する。第１受容空間２５３１はＰＣ側ハウジング１５の第１配置部１５２を受け容れる。第２受容空間２５３２はＰＣ側ハウジング１５の第２配置部１５３を受け容れる。
【００６６】
嵌合部２５３の第１受容空間２５３１の相対する２つの内面には、それぞれ複数のコンタクト収容溝２５３３が等間隔に形成されている。コンタクト収容溝２５３３にドック側グランドコンタクト２４と第１ドック側コンタクト２３１と第２ドック側コンタクト２３２とが収容されている。
【００６７】
ドック側コンタクト２３とドック側グランドコンタクト２４とはいわゆるモールドイン成形法によってドック側ハウジング２５に一体化されている。なお、各コンタクト２３，２４を圧入によってドック側ハウジング２５に保持するようにしても良い。
【００６８】
シェル２７は金属板に打抜き加工及び曲げ加工を施すことによって形成され、ドック側ハウジング２５を覆っている。シェル２７は、シェル１７のシェル側接触部１７１と接続する相手側シェル接触部２７１とプリント基板のスルーホールに半田接続される相手側シェル端子部２７２とを有する。
【００６９】
図５は図１に示すコネクタ装置のドック側コネクタ２０の底面図である。
【００７０】
嵌合部２５３の第１受容空間２５３１の一方の内面に配置された複数のドック側グランドコンタクト２４の端子部２４ｂと、第１受容空間２５３１の他方の内面に配置された複数のドック側グランドコンタクト２４の端子部２４ｂとは、図５に示すように、ドック側ハウジング２５の底面に配置されたロケータ２８によって保持され、ハウジング２５の長手方向に沿って二列に並んでいる。
【００７１】
嵌合部２５３の第１受容空間２５３１の一方の内面に配置された複数の第１ドック側コンタクト２３１の端子部２３１ｂと、第１受容空間２５３１の他方の内面に配置された複数の第１ドック側コンタクト２３１の端子部２３１ｂとは、ロケータ２８によって保持され、ドック側ハウジング２５の長手方向に沿って二列に並んでいる。端子部２３１ｂの列は端子部２４ｂの列の外側に位置し、端子部２４ｂの列と平行である。端子部２３２ｂの列は、端子部２３１ｂの列と端子部２４ｂの列との間隔のほぼ半分の長さの分だけドック側ハウジングの幅方向Ｗ２５へずれている。
【００７２】
嵌合部２５３の第１受容空間２５３１の一方の内面に配置された複数の第２ドック側コンタクト２３２の端子部２３２ｂと、第１受容空間２５３１の他方の内面に配置された複数の第２ドック側コンタクト２３２の端子部２３２ｂとは、ロケータ２８によって保持され、ドック側ハウジング２５の長手方向に沿って二列に並んでいる。端子部２３２ｂの列は端子部２３１ｂの列の内側に位置し、かつ端子部２４ｂの列の外側に位置し、端子部２３１ｂの列と平行である。端子部２３２ｂの列と端子部２３１ｂの列と端子部２４ｂの列とはドック側ハウジングの長手方向へずれている。したがって、端子部２３１ｂと端子部２３２ｂと端子部２４ｂの列とはいわゆる千鳥配置（ジグザグの配置）となる。
【００７３】
図４、図５に示すように、ＰＣ側ハウジング１５の幅方向Ｗ１５における端子部１３１ｂ同士間の距離ＬＰ１とドック側ハウジング２５の幅方向Ｗ２５における端子部２３２ｂ同士間の距離ＬＤ２とはほぼ等しく、また、ＰＣ側ハウジング１５の幅方向Ｗ１５における端子部１３２ｂ同士間の距離ＬＰ２とドック側ハウジング２５の幅方向Ｗ２５における端子部２３１ｂ同士間の距離ＬＤ１とはほぼ等しい。
【００７４】
上述のように、ＰＣ側コネクタ１０とドック側コネクタ２０とが嵌合しているとき、第１ＰＣ側コンタクト１３１の端子部１３１ｂから第１ドック側コンタクト２３１の端子部２３１ｂに至る通路長と第２ＰＣ側コンタクト１３２の端子部１３２ｂから第２ドック側コンタクト２３２の端子部２３２ｂに至る通路長とはほぼ等しくなるので、インピーダンスの整合を容易に行うことができスキューが生じにくくなる。
【００７５】
また、第１、第２ＰＣ側コンタクト１３１，１３２の中間部１３１ｃ，１３２ｃ及び第１、第２ドック側コンタクト２３１，２３２の中間部２３１ｃ，２３２ｃは、いずれもクランク状であり、従来技術のように湾曲部ではないので、コンタクトの形成を容易に行うことができ、コネクタの製造コストを抑制できる。
【００７６】
図３に示すように、本発明のコンタクトの接触部は符号Ａで示される範囲であり、中間部は符号Ｂで示される範囲であり、端子部は符号Ｃで示される範囲である。
【００７７】
なお、上述の実施形態では、ＰＣ側コネクタ１０とドック側コネクタ２０とがそれぞれシェル１７，２７を有するが、シェル１７，２７を使用しなくともよい。
【図面の簡単な説明】
【００７８】
【図１Ａ】図１Ａはこの発明の一実施形態に係るコネクタ装置のＰＣ側コネクタ１０の斜視図である。
【図１Ｂ】図１Ｂはこの発明の一実施形態に係るコネクタ装置のドック側コネクタ２０の斜視図である。
【図２】図２は図１Ａ、図１Ｂに示すコネクタ装置のＰＣ側コネクタとドック側コネクタとが嵌合した状態を示す断面図である。
【図３Ａ】図３Ａは図１に示すコネクタ装置のＰＣ側コネクタ１０のＰＣ側グランドコンタクト１４とドック側コネクタ２０のドック側グランドコンタクト２４とが接触している状態を示す概念図である。
【図３Ｂ】図３Ｂは図１に示すコネクタ装置のＰＣ側コネクタ１０の第１ＰＣ側コンタクト１３１とドック側コネクタ２０の第１ドック側コンタクト２３１とが接触している状態を示す概念図である。
【図３Ｃ】図３Ｃは図１に示すコネクタ装置のＰＣ側コネクタ１０の第２ＰＣ側コンタクト１３２とドック側コネクタ２０の第２ドック側コンタクト２３２とが接触している状態を示す概念図である。
【図４】図４は図１に示すコネクタ装置のＰＣ側コネクタ１０の底面図である。
【図５】図５は図１に示すコネクタ装置のドック側コネクタ２０の底面図である。
【符号の説明】
【００７９】
１０  ＰＣ側コネクタ
１３  ＰＣ側コンタクト（コンタクト）
１３１  第１ＰＣ側コンタクト（第１コンタクト）
１３１ａ  接触部（Ａ）
１３１ｂ  端子部（Ｃ）
１３１ｃ  中間部（Ｂ）
１３２  第２ＰＣ側コンタクト（第２コンタクト）
１３２ａ  接触部（Ａ）
１３２ｂ  端子部（Ｃ）
１３２ｃ  中間部（Ｂ）
１５  ＰＣ側ハウジング
１７  シェル
２０  ドック側コネクタ
２３  ドック側コンタクト（コンタクト）
２３１  第１ドック側コンタクト（第１相手側コンタクト）
２３１ａ  接触部（Ａ）
２３１ｂ  端子部（Ｃ）
２３１ｃ  中間部（Ｂ）
２３２  第２ドック側コンタクト（第２相手側コンタクト）
２３２ａ  接触部（Ａ）
２３２ｂ  端子部（Ｃ）
２３２ｃ  中間部（Ｂ）
２５  ドック側ハウジング（相手側ハウジング）
２７  シェル
【図１Ａ】
2010073368.tif 000003
【図１Ｂ】
2010073368.tif 000004
【図２】
2010073368.tif 000005
【図３Ａ】
2010073368.tif 000006
【図３Ｂ】
2010073368.tif 000007
【図３Ｃ】
2010073368.tif 000008
【図４】
2010073368.tif 000009
【図５】
2010073368.tif 000010